(57)【特許請求の範囲】
【請求項１】
玉磨き揚送装置の下端部に傾斜状に装着されて多量のパチンコ玉を複数列に整列しながら導入する玉磨き揚送装置の導入樋において、
該導入樋には、その上面を被覆する導入樋蓋を設け、該導入樋蓋の下流側上面には、前記玉磨き揚送装置の揚送筒を周回する搬送ベルトとの隙間にパチンコ玉が進入しない間隔をもって、前記導入樋蓋上へ落下してきたパチンコ玉を側方へ誘導する誘導突起が形成されていることを特徴とする玉磨き揚送装置の導入樋。
【請求項２】
前記誘導突起は、その断面がほぼ三角形状となるように突設し、その頂点を結ぶ稜線と前記搬送ベルトとの隙間をパチンコ玉が進入しない間隔にすると共に、前記搬送ベルトに対面しない側の三角形の傾斜面は、導入樋蓋の中心部から両側端部へ向かって下り傾斜して形成されていることを特徴とする請求項１記載の玉磨き揚送装置の導入樋。
【請求項３】
前記稜線は、その中心部から両側端部へ向かうに従って前記搬送ベルト側へ近づくように形成されていることを特徴とする請求項２記載の玉磨き揚送装置の導入樋。
【請求項４】
前記稜線は、その一端部から他端部へ向かうに従って高さが異なるように傾斜状に形成されていることを特徴とする請求項２記載の玉磨き揚送装置の導入樋。
【請求項５】
玉磨き揚送装置の下端部に傾斜状に装着されて多量のパチンコ玉を複数列に整列しながら導入する玉磨き揚送装置の導入樋において、
該導入樋には、その上面を被覆する導入樋蓋を設け、該導入樋蓋の上面には、前記玉磨き揚送装置の揚送筒を周回する搬送ベルトとの隙間にパチンコ玉が進入しない間隔をもって、前記導入樋上へ落下してきたパチンコ玉を側方又は上流側へ誘導する傾斜面が形成されていることを特徴とする玉磨き揚送装置の導入樋。
【請求項６】
前記導入樋の一側又は両側には、前記導入樋蓋によって誘導流下されたパチンコ玉を貯留する貯留箱を設けたことを特徴とする請求項１乃至請求項５のいずれかに記載の玉磨き揚送装置の導入樋。
【請求項７】
前記貯留箱には、その貯留玉量を検出する玉量センサを設け、該玉量センサからの検出信号を外部に出力するようにしたことを特徴とする請求項６記載の玉磨き揚送装置の導入樋。
【発明の詳細な説明】
【０００１】
【発明の属する技術分野】
本発明は、玉磨き揚送装置の下端部に傾斜状に装着されて多量のパチンコ玉を複数列に整列しながら導入する玉磨き揚送装置の導入樋に関するものである。
【０００２】
【従来の技術】
従来、玉磨き揚送装置の導入樋においては、導入されるパチンコ玉が外部に溢れ落ちたり、導入樋内に硬貨等の異物が混入したりして、パチンコ玉が円滑に導入されなくなることを防止するために、その上部に導入樋蓋を取り付けるようにしていた。
【０００３】
【発明が解決しようとする課題】
ところで、玉磨き揚送装置により研磨揚送されたパチンコ玉は、排出口から上部タンクへ排出され、再び各パチンコ機へ供給されることとなるが、このとき、ごく一部のパチンコ玉は、排出口から上部タンクへ円滑に排出されずにそのまま下方に落下してしまうことがある。このような溢れ落ちたパチンコ玉が導入樋蓋上へ落下した場合、下方傾斜して取り付けられる導入樋の導入樋蓋と玉磨き揚送装置の搬送ベルトとの隙間に入り込み、その入り込んで滞留したパチンコ玉が駆動される搬送ベルトにより摩擦されて発熱し、導入樋蓋が熱で変形したり溶けたりするという問題点があった。本発明は上記した事情に鑑みなされたものであり、その目的とするところは、導入樋蓋上にパチンコ玉が滞留することのない玉磨き揚送装置の導入樋を提供することにある。
【０００４】
【課題を解決するための手段】
上記した目的を達成するために、本発明が採用した具体的な解決手段を図面を参照して説明する。図１，図６及び図７に示すように、玉磨き揚送装置１の下端部に傾斜状に装着されて多量のパチンコ玉を複数列に整列しながら導入する玉磨き揚送装置１の導入樋６において、該導入樋６には、その上面を被覆する導入樋蓋３０を設け、該導入樋蓋３０の下流側上面には、前記玉磨き揚送装置１の揚送筒３を周回する搬送ベルト１０との隙間にパチンコ玉が進入しない間隔をもって、前記導入樋蓋３０上へ落下してきたパチンコ玉を側方へ誘導する誘導突起３６が形成されていることを特徴とするものである。このように構成することにより、パチンコ玉が導入樋蓋３０上へ落下してきた場合にも、誘導突起３６が導入樋蓋３０と搬送ベルト１０との隙間へのパチンコ玉の進入を防止すると共に、隙間付近のパチンコ玉も傾斜状に設けられた誘導突起３６上を誘導されて側方へ流下されるので、導入樋蓋３０と搬送ベルト１０との隙間にパチンコ玉が入り込んで滞留することがない。
【０００５】
また、図４，図６及び図７に示すように、前記誘導突起３６は、その断面がほぼ三角形状となるように突設し、その頂点を結ぶ稜線３９と前記搬送ベルト１０との隙間をパチンコ玉が進入しない間隔にすると共に、前記搬送ベルト１０に対面しない側の三角形の傾斜面３７は、導入樋蓋３０の中心部から両側端部へ向かって下り傾斜して形成されていることにより、誘導突起３６が導入樋蓋３０と搬送ベルト１０との隙間へのパチンコ玉の進入を防止すると共に、導入樋蓋３０上のパチンコ玉を搬送ベルト１０側へ流下させた後、誘導突起３６の傾斜面３７により側方へ誘導流下させるので、導入樋蓋３０上にパチンコ玉が滞留することがない。
【０００６】
また、図６及び図７に示すように、前記稜線３９は、その中心部から両側端部へ向かうに従って前記搬送ベルト１０側へ近づくように形成されていることにより、パチンコ玉が誘導突起３６上をその中央部から側端部へ向かって誘導流下される際、当初は稜線３９よりも搬送ベルト１０側に位置していたパチンコ玉の中心が、流下するに従って次第に稜線３９に接近し、最終的には搬送ベルト１０とは反対側に転動した状態となって側方へ流下されるので、誘導突起３６と搬送ベルト１０との隙間にパチンコ玉が滞留することがない。
【０００７】
また、図９乃至図１１に示すように、前記稜線３９は、その一端部から他端部へ向かうに従って高さが異なるように傾斜状に形成されていることにより、誘導突起３６Ａの稜線３９上のパチンコ玉を一側方のみに流下させることができる。
【０００８】
また、図１２乃至図２０に示すように、玉磨き揚送装置１の下端部に傾斜状に装着されて多量のパチンコ玉を複数列に整列しながら導入する玉磨き揚送装置１の導入樋６において、該導入樋６には、その上面を被覆する導入樋蓋６０，７０，８０を設け、該導入樋蓋６０，７０，８０の上面には、前記玉磨き揚送装置１の揚送筒３を周回する搬送ベルト１０との隙間にパチンコ玉が進入しない間隔をもって、前記導入樋６上へ落下してきたパチンコ玉を側方又は上流側へ誘導する傾斜面６１，７１，８１，８２が形成されていることにより、玉磨き揚送装置１の排出口７ａから導入樋６上へパチンコ玉が落下してきた場合、パチンコ玉は、導入樋蓋６０，７０，８０の上面に形成された傾斜面６１，７１，８１，８２上を側方又は上流側へ向かって流下されるので、導入樋蓋６０，７０，８０上にパチンコ玉が滞留することがない。また、導入樋蓋６０，７０，８０は、前記搬送ベルト１０との隙間にパチンコ玉が進入しない間隔で取り付けられているので、その隙間にパチンコ玉が入り込んで滞留することがない。
【０００９】
また、図８に示すように、前記導入樋６の一側又は両側には、前記導入樋蓋３０，３０Ａ，６０，７０によって誘導流下されたパチンコ玉を貯留する貯留箱４０を設けたことにより、導入樋６の導入樋蓋３０，３０Ａ，６０，７０上を側方へ流下されたパチンコ玉を周辺に散乱させることなく、貯留箱４０内に確実に回収して貯留しておくことができる。
【００１０】
また、図８に示すように、前記貯留箱４０にはその貯留玉量を検出する玉量センサ４４を設け、該玉量センサ４４からの検出信号を外部に出力するようにしたことにより、貯留箱４０の貯留玉量が上限付近となった場合には、その旨を例えば管理コンピュータの画面等に表示して、遊技場の店員に貯留箱４０内のパチンコ玉を除去するよう促すことができる。
【００１１】
【発明の実施の形態】
以下、図面を参照して、本発明の実施形態について説明する。まず、図１及び図２を参照して、玉磨き揚送装置１の概略構成について説明する。図１は、玉磨き揚送装置１を前方から見た斜視図であり、図２は、玉磨き揚送装置１の下方部分を前方から見た拡大斜視図である。
【００１２】
図において、玉磨き揚送装置１は、肉厚の厚い鋼製の平板で構成される支持台２上に直立支持されている。この支持台２の上部には、モータ内蔵プーリ４を回転自在な状態で収納支持するためのプーリ支持板１７及び支持板１９がボルトで固着されている。モータ内蔵プーリ４は、詳細には図示しないが、比較的大きな直径の円筒状ローラとして構成され、電流が供給されると支軸１６を中心にして円筒状の外周が回転し、搬送ベルト１０を回転移動させるようになっている。また、プーリ支持板１７は、モータ内蔵プーリ４の一側面及び上部を覆うように取り付けられ、その一側面でモータ内蔵プーリ４の支軸１６の一端を回転自在に軸支する。一方、支軸１６の他端は、支持板１９の上端に蝶番２０によって開閉可能に設けられる軸受板１８によって回転自在に軸支されるものである。即ち、モータ内蔵プーリ４は、支持板１９に対して軸受板１８を外側に開放した状態で、図示の右側面から挿入されて支軸１６の一端をプーリ支持板１７の一側面に軸支し、その状態で軸受板１８を持ち上げて回動して支軸１６の他方を軸受板１８で軸支することにより、モータ内蔵プーリ４を支持台２に対して回転自在に軸支された状態で取り付けることができる。
【００１３】
また、上記のように軸支されるモータ内蔵プーリ４の下方には、図示右側に多量のパチンコ玉が導入される導入樋６が傾斜状に装着され、図示左側に導入樋６によって導入されたパチンコ玉を、モータ内蔵プーリ４によって回転される搬送ベルト１０との間で狭持しながら垂直状に設けられる揚送筒３の下端部まで移動させる流入円弧樋５が固着されている。導入樋６の内側には、導入されたパチンコ玉を整列させる仕切壁６ａにより区画された玉通路６ｂが複数列形成されており、同様に、流入円弧樋５の内側にも、仕切壁（図示しない）により区画された玉通路（図示しない）が複数列形成されている。また、上記の導入樋６の取付構造は、その上流端の下部が調節ナット４７（図７参照）により取付板２１に対して回動可能に軸支され、その下流端付近に横方向に突設される揺動片２５が後述する支持金具２２に植立される支持ボルト１５にスプリング１５ａを介して摺動自在に取り付けられている。即ち、導入樋６の下端は、支持ボルト１５に挿通されて調節ナット１５ｂによって抜けないように止着されているが、常に支持ボルト１５に介装されるスプリング１５ａによって上方に付勢されている。しかして、調節ナット１５ｂの締着度合によって導入樋６と流入円弧樋５との間の微妙な間隔を調整することができ、その間隔を調整することにより、パチンコ玉のスムーズな移動を可能にすることができる。また、前記取付板２１は、直角状の接続金具２１ａを介して導入樋６の台座部分を構成する支持金具２２に取り付けられており、支持金具２２の両側部分が固定ボルト２３により前記支持台２に取り付けられている。
【００１４】
さらに、前記プーリ支持板１７及び軸受板１８の上部には、下部テンションローラ取付金具１３ａが取り付けられており、この下部テンションローラ取付金具１３ａには、下部テンションローラ１３が回転自在に軸支されている。そして、前記揚送筒３の下部には、上部テンションローラ取付金具１１ａ及び中間テンションローラ取付金具１２ａが取り付けられ、上部テンションローラ１１及び中間テンションローラ１２がそれぞれ回転自在に軸支されている。特に、中間テンションローラ取付金具１２ａにはスプリング１２ｂが介装され、その付勢力によって搬送ベルト１０に対して常に一定の張力を与えることができるようになっている。ここで、前記モータ内蔵プーリ４と各テンションローラ１１，１２，１３とは、ほぼ上下の位置関係にあり、後述する搬送ベルト１０が装着されたときに、モータ内蔵プーリ４は搬送ベルト１０の内側に位置し、下部テンションローラ１３は搬送ベルト１０の外側に、中間テンションローラ１２は搬送ベルト１０の内側に、上部テンションローラ１１は搬送ベルト１０の外側に、それぞれ位置するようになっている。
【００１５】
一方、前記揚送筒３は、断面コ字状であって長尺な角筒状に形成され、その揚送筒３の長手方向の外周を、モータ内蔵プーリ４によって駆動される搬送ベルト１０が周回するようになっている。また、揚送筒３には、複数の回転ローラ（図示しない）が適宜間隔をおいて上下方向に並んで回転自在に軸支され、回転ローラの一部が揚送筒３の上昇側面から外に突出して、搬送ベルト１０を案内支持していると共にその回転を補助している。搬送ベルト１０は、上記のようにその下方部がモータ内蔵プーリ４に差し渡され、その上方部が揚送筒３の上端に調節ナット１４によって回転自在に軸支される上端ローラ（図示しない）に差し渡される無端状ベルトとして構成されている。この搬送ベルト１０の材質として、本実施形態においては革製のものが使用されるが、これは、長期間にわたる玉の揚送能力において優れていると共に、玉の表面の研磨度を向上させる機能が大きいためである。
【００１６】
ところで、揚送筒３の背面側には、ガイドレールカバー８が一側片を軸支されて開閉自在に取り付けられている。ガイドレールカバー８には、搬送ベルト１０と対面して揚送されるパチンコ玉を研磨する布ベルト（図示しない）が、その前面を周回するように装着される。そして、搬送ベルト１０や布ベルトを玉磨き揚送装置１に装着する際に開放されると共に、搬送ベルト１０や布ベルトが装着されたときには、カバー係止金具９によってガイドレールカバー８を揚送筒３に対面させた状態に取り付けられるようになっている。
【００１７】
上記のように揚送筒３に対面してガイドレールカバー８が取り付けられた状態において、前記導入樋６から導入されたパチンコ玉は、前記流入円弧樋５を経由して、搬送ベルト１０によって揚送され、揚送筒３の上方に固着された上部屈曲樋７の排出口７ａから排出されるが、その揚送される過程で、布ベルト（図示しない）との摩擦力によってパチンコ玉に付着した汚れが拭き取られ、排出口７ａからはきれいにされたパチンコ玉が排出されることになる。なお、布ベルトは、玉磨き能力を十分発揮させるために、比較的織目の粗い布で構成されている。さらに、詳細には図示しないが、ガイドレールカバー８の内側面には、揚送されるパチンコ玉の一部が落ち込む溝が複数列形成されており、玉を上下方向一列に整列させて揚送するようになっている。
【００１８】
上記した玉磨き揚送装置１においては、本実施形態の要部を構成する導入樋６の上面を被覆する導入樋蓋３０が取り付けられているが、この導入樋蓋３０について、図３乃至図７を参照して、説明する。図３は、導入樋蓋３０と導入樋６とを分離した状態を示す斜視図であり、図４は、（Ａ）が導入樋蓋３０を下流側から見た正面図、（Ｂ）が導入樋蓋３０の平面図、（Ｃ）が導入樋蓋３０の左側面図であり、図５は、導入樋蓋３０が取り付けられた導入樋６を玉磨き揚送装置１に装着した状態を示す拡大斜視図であり、図６は、導入樋蓋３０の誘導突起３６によるパチンコ玉流下作用を示す平面図であり、図７は、導入樋蓋３０の誘導突起３６によるパチンコ玉流下作用を示す側面図である。
【００１９】
図３において、前記導入樋６の上部には、導入されるパチンコ玉が外部に溢れ落ちたり、導入樋内に硬貨等の異物が混入したりしてパチンコ玉が円滑に導入されなくなることを防止するための導入樋蓋３０が取り付けられている。この導入樋蓋３０の取付け構造は、導入樋蓋３０の両側端部に突設形成された係止片３１を導入樋６の両側面上部に載置した状態で、導入樋６の両側面上部に開設されたビス挿通穴（図示しない）に、導入樋３０の両側面に開設されたビス螺着穴３２を重ね合せ、外側からビス２４（図５参照）を螺着することにより、導入樋６に固着するようになっている。
【００２０】
次に、導入樋蓋３０のさらに詳細な形状及び構造について説明すると、図４（Ｂ）に示すように、導入樋蓋３０は、上方から見て略長方形状に形成された合成樹脂製の部材であり、前記導入樋６の上面を被覆し得る形状となっている。また、図４（Ａ）に示すように、導入樋蓋３０の下面には、前方から見て逆「凹」字状となる嵌合壁３４が複数個形成されているとともに、各嵌合壁３４の間には、嵌合溝３３が複数列形成されている。これは、導入樋蓋３０を導入樋６に取り付けた際、導入樋蓋３０の嵌合溝３３に導入樋６の仕切壁６ａ（図３参照）の上端部が嵌合されることにより、仕切壁６ａを上方から支持するようにすると共に導入樋蓋３０の固定状態をより確実にするためのものである。また、図４（Ｃ）に示すように、導入樋蓋３０の上流端面には、導入樋６（図３参照）に導入されるパチンコ玉が上方へ溢れることを防止する前壁３５が形成されている。この前壁３５の上縁部は、導入樋蓋３０上に乗ったパチンコ玉が導入樋６の入口側へ落下してくることを防止する突起３５ｂとして突設形成され、前壁３５の下縁部は、導入樋６の玉通路６ｂへのパチンコ玉の導入を円滑にするための切欠傾斜部３５ａとして切欠形成されている。
【００２１】
さらに、導入樋蓋３０の下流側上面には、その断面がほぼ三角形状となるように形成され且つ導入樋蓋３０上へ落下してきたパチンコ玉を側方へ誘導する誘導突起３６が突設されている。図６及び図７に示すように、誘導突起３６は、導入樋蓋３０が導入樋６を介して玉磨き揚送装置１に取り付けられたときに、玉磨き揚送装置１の揚送筒３を周回する搬送ベルト１０との隙間にパチンコ玉が進入しない間隔をもって形成されている。この誘導突起３６の頂点を結ぶ稜線３９の搬送ベルト１０に対面しない側には、図４に示すように、第一傾斜面３７が形成され、搬送ベルト１０に対面する側には、第二傾斜面３８が形成されている。第一傾斜面３７は、導入樋蓋３０の中心部から両側端部へ向かって下り傾斜して形成されている。また、図４（Ｂ）に示すように、前記稜線３９は、その中心部から両側端部へ向かうに従って搬送ベルト１０側へ近づくように形成されている。
【００２２】
しかして、上記のような構成を有する導入樋蓋３０の誘導突起３６の作用について、以下、説明する。まず、図１及び図５に示すように、玉磨き揚送装置１の排出口７ａから導入樋蓋３０上へパチンコ玉が落下してきた場合、大部分のパチンコ玉は、導入樋蓋３０上を下流側に流下して誘導突起３６に衝突し、その後、導入樋蓋３０の中心部から両側端部へ向かって下り傾斜して形成された第一傾斜面３７により側方へ誘導流下される。このため、導入樋蓋３０上にパチンコ玉が滞留することがない。また、一部のパチンコ玉は、誘導突起３６の第一傾斜面３７をかけ昇って誘導突起３６の稜線３９と搬送ベルト１０との隙間に挟まれてしまうが、図６及び図７に示すように、稜線３９がその中心部から両側端部へ向かうに従って搬送ベルト１０側へ近づくように形成されていることにより、当初は稜線３９よりも搬送ベルト１０側に位置していたパチンコ玉の中心が（図示ではＰ１の位置）、流下するに従って次第に稜線３９に接近し（図示ではＰ２の位置）、最終的には搬送ベルト１０とは反対側に移動した状態となって第一傾斜面３７側へ流下されるので（図示ではＰ３の位置）、誘導突起３６の稜線３９と搬送ベルト１０との隙間にパチンコ玉が入り込んで滞留することがない。
【００２３】
上記のような作用を有する導入樋蓋３０と比較するために、従来の導入樋蓋５０の作用について、図２１及び図２２を参照して、簡単に説明する。図２１は、従来の導入樋蓋５０の作用を示す平面図であり、図２２は、従来の導入樋蓋５０の作用を示す側面図である。
【００２４】
図において、導入樋蓋５０の下流側上面には、三角形状の微少な突起４８が突設されているものの、導入樋蓋５０と搬送ベルト１０との隙間へのパチンコ玉の進入を防止し得る程の大きさには形成されていない。また、突起４８が微少なものであるために、稜線の搬送ベルト１０に対面しない側には下り傾斜状に傾斜面を形成することができず、稜線をその中心部から両側端部へ向かうに従って搬送ベルト１０側へ近づくように形成することもできない。従って、玉磨き揚送装置１（図１参照）の排出口７ａ（図１参照）から導入樋蓋５０上へパチンコ玉が落下してきた場合、下り傾斜状に取り付けられた導入樋蓋５０上のパチンコ玉は、搬送ベルト１０側へ流下され、そのまま導入樋蓋５０と搬送ベルト１０との隙間へ進入してしまう。このように隙間へ進入したパチンコ玉は、側方へ流下されないでそのまま滞留し、駆動される搬送ベルト１０により摩擦されて発熱し、最悪の場合、導入樋蓋５０の下流側上面が熱で変形したり溶けたりすることとなる。
【００２５】
ところで、本実施形態に係る玉磨き揚送装置１においては、前述したように、前記導入樋蓋３０により側方にパチンコ玉を流下させることができるが、その側方から排出されたパチンコ玉を床面に放置する不都合を解消するために、導入樋蓋３０から転動するパチンコ玉を貯留しておく貯留箱４０が設けられている。この貯留箱４０について、図８を参照して、説明する。図８は、貯留箱４０が設けられた玉磨き揚送装置１の下方部分の構造を示す拡大斜視図である。
【００２６】
図において、前記導入樋６の下部両側には、誘導突起３６によって誘導流下されたパチンコ玉を貯留する貯留箱４０が設けられている。この貯留箱４０は、上面が開放した立方体状の部材であり、その内部に所定量のパチンコ玉を貯留し得るようになっている。貯留箱４０の玉容量はそれほど多くはないが、これは、玉磨き揚送装置１の排出口７ａから導入樋蓋３０上へ落下してくるパチンコ玉が比較的少ないことによる。この貯留箱４０の取付け構造は、貯留箱４０の手前側下部に設けられた押え片４１に開設されたボルト挿通穴（図示しない）を前記支持金具２２（図５参照）に開設されたボルト挿通穴（図示しない）と重ね合せて、上方から固定ボルト２３を螺着することにより固着されるようになっている。なお、玉箱４０には、前記支持ボルト１５の部分を被覆するボルトカバー４２及びキャップ４３が形成されている。このように、導入樋６の両側に貯留箱４０を設けることにより、導入樋６の導入樋蓋３０上を側方へ流下されたパチンコ玉を周辺に散乱させることなく、貯留箱４０内に確実に回収して貯留しておくことができる。
【００２７】
また、貯留箱４０の側面上部には、その貯留玉量を検出する玉量センサ４４が設けられている。この玉量センサ４４としては、本実施形態においては磁気センサが用いられる。しかして、貯留箱４０内に貯留されたパチンコ玉が除々に増加し、貯留量が上限付近に達すると、玉量センサ４４によりその旨が検出され、その検出信号が接続コード４５を介して外部に出力されるようになっている。このように外部に出力された検出信号は、例えば管理コンピュータの画面（図示しない）に表示したり、表示ランプを点灯させたり（図示しない）することにより遊技場の店員に報知され、貯留量が上限付近となった貯留箱４０内のパチンコ玉を除去するよう促すことができる。
【００２８】
上記した実施形態（以下、第一実施形態という）においては、誘導突起３６の稜線３９が、その中心部から両側端部へ向かうに従って前記搬送ベルト１０側へ近づくように形成されているものを示したが、これに限られず、例えば、稜線３９は、その一端部から他端部へ向かうに従って高さが異なるように傾斜状に形成されるものであってもよい。このような実施形態（以下、第二実施形態という）について、図９，図１０及び図１１を参照して、以下、説明する。図９は、第二実施形態に係る導入樋蓋３０Ａが取り付けられた導入樋６を玉磨き揚送装置１に装着した状態を示す拡大斜視図であり、図１０は、第二実施形態に係る導入樋蓋３０Ａの誘導突起３６Ａによるパチンコ玉流下作用を示す平面図であり、図１１は、第二実施形態に係る導入樋蓋３０Ａの誘導突起３６Ａによるパチンコ玉流下作用を示す側面図である。なお、第一実施形態と同一の部品には、同じ符号を付した。
【００２９】
図９において、第二実施形態に係る導入樋蓋３０Ａの下流側上面には、その断面がほぼ三角形状となるように形成され且つ導入樋蓋３０Ａ上へ落下してきたパチンコ玉を側方へ誘導する誘導突起３６Ａが突設されている。この誘導突起３６Ａは、導入樋蓋３０Ａが導入樋６を介して玉磨き揚送装置１に取り付けられたときに、玉磨き揚送装置１の揚送筒３を周回する搬送ベルト１０との隙間にパチンコ玉が進入しない間隔をもって形成されている。さらに、誘導突起３６Ａの頂点を結ぶ稜線３９の搬送ベルト１０に対面しない側には、第一傾斜面３７（図１１参照）が形成され、搬送ベルト１０に対面する側には、円弧状面４６（図１１参照）が形成されている。第一傾斜面３７は、導入樋蓋３０Ａの中心部から両側端部へ向かって下り傾斜して形成されている。また、稜線３９は、その一端部から他端部へ向かうに従って高さが異なるように傾斜状に形成されている。
【００３０】
しかして、上記のような構成を有する導入樋蓋３０Ａの誘導突起３６Ａの作用について、以下、説明する。まず、図１及び図９に示すように、玉磨き揚送装置１の排出口７ａから導入樋蓋３０Ａ上へパチンコ玉が落下してきた場合、大部分のパチンコ玉は、導入樋蓋３０Ａ上を下流側に流下して誘導突起３６Ａに衝突し、その後、導入樋蓋３０Ａの一端部から他端部へ向かって下り傾斜して形成された第一傾斜面３７により一側方へ誘導流下される。このため、導入樋蓋３０Ａ上にパチンコ玉が滞留することがない。また、一部のパチンコ玉は、誘導突起３６Ａの稜線３９と搬送ベルト１０との隙間に挟まれてしまうが、図１０及び図１１に示すように、稜線３９がその一端部から他端部へ向かうに従って高さが異なるように傾斜状に形成されていることにより、パチンコ玉は誘導突起３６Ａの稜線３９上を一側方のみに流下されるので、誘導突起３６Ａの稜線３９と搬送ベルト１０との隙間にパチンコ玉が入り込んで滞留することがない。
【００３１】
なお、上記した第一実施形態及び第二実施形態においては、導入樋蓋３０，３０Ａの下流側上面にパチンコ玉を側方へ誘導する誘導突起３６，３６Ａが突設形成されるものを示したが、これに限らず、導入樋蓋３０の上面にパチンコ玉を側方又は上流側へ誘導する傾斜面が形成されるものであってもよい。このような実施形態について、図１２乃至図２０を参照して、以下、説明する。図１２乃至図１４は、第三実施形態を示し、図１２は、第三実施形態に係る導入樋蓋６０が取り付けられた導入樋６を玉磨き揚送装置１に装着した状態を示す拡大斜視図であり、図１３は、第三実施形態に係る導入樋蓋６０の傾斜面６１によるパチンコ玉流下作用を示す平面図であり、図１４は、第三実施形態に係る導入樋蓋６０の傾斜面６１によるパチンコ玉流下作用を示す側面図であり、図１５乃至図１７は、第四実施形態を示し、図１５は、第四実施形態に係る導入樋蓋７０が取り付けられた導入樋６を玉磨き揚送装置１に装着した状態を示す拡大斜視図であり、図１６は、第四実施形態に係る導入樋蓋７０の傾斜面７１によるパチンコ玉流下作用を示す平面図であり、図１７は、第四実施形態に係る導入樋蓋７０の傾斜面７１によるパチンコ玉流下作用を示す側面図であり、図１８乃至図２０は、第五実施形態を示し、図１８は、第五実施形態に係る導入樋蓋８０が取り付けられた導入樋６を玉磨き揚送装置１に装着した状態を示す拡大斜視図であり、図１９は、第五実施形態に係る導入樋蓋８０の傾斜面８１，８２によるパチンコ玉流下作用を示す平面図であり、図２０は、第五実施形態に係る導入樋蓋８０の傾斜面８１，８２によるパチンコ玉流下作用を示す側面図である。なお、第一実施形態と同一の部品には、同じ符号を付した。
【００３２】
図１２において、第三実施形態に係る導入樋蓋６０の上面には、一側端から他側端へ向かって一直線状に下り傾斜する傾斜面６１が形成されている。この導入樋蓋６０は導入樋６を介して玉磨き揚送装置１に取り付けられるが、このとき、図１３及び図１４に示すように、導入樋蓋６０と玉磨き揚送装置１の揚送筒３を周回する搬送ベルト１０との隙間にパチンコ玉が進入しない間隔で取り付けられている。また、導入樋蓋６０の搬送ベルト１０と対面する側の端部には、モータ内蔵プーリ４の円弧状に対応して切欠傾斜面６２が形成されている。
【００３３】
しかして、上記のような構成を有する導入樋蓋６０の作用について説明すると、図１３及び図１４に示すように、玉磨き揚送装置１の排出口７ａから導入樋６上へパチンコ玉が落下してきた場合、パチンコ玉は、導入樋蓋６０の上面に形成された傾斜面６１上を一側端から他側端へ向かって流下されるので、導入樋蓋６０上にパチンコ玉が滞留することがない。また、導入樋蓋６０は、前記搬送ベルト１０との隙間にパチンコ玉が進入しない間隔で取り付けられているので、その隙間にパチンコ玉が入り込んで滞留することがない。
【００３４】
また、図１５に示すように、第四実施形態に係る導入樋蓋７０の上面には、一側端から他側端へ向かって下り傾斜すると共に導入樋６の下流側から上流側へ向かって下り傾斜する傾斜面７１が形成されている。また、導入樋蓋７０の搬送ベルト１０と対面する側の端部には、モータ内蔵プーリ４の円弧状に対応して切欠傾斜面７２が形成されている。このように構成することにより、図１６及び図１７に示すように、玉磨き揚送装置１の排出口７ａから導入樋６上へパチンコ玉が落下してきた場合、パチンコ玉は、導入樋蓋７０の上面に形成された傾斜面７１上を斜め方向に流下されるので、導入樋蓋７０上にパチンコ玉が滞留することがない。
【００３５】
また、図１８に示すように、第五実施形態に係る導入樋蓋８０の上面には、その両側端部から中央部８０ａへ向かって下り傾斜すると共に導入樋６の下流側から上流側へ向かって下り傾斜する第一傾斜面８１及び第二傾斜面８２が形成されている。この第一傾斜面８１及び第二傾斜面８２は、中央部８０ａを中心として左右対称になるように形成されており、第一傾斜面８１と第二傾斜面８２は屈曲線８０ｂにより区画されている。また、導入樋蓋８０の搬送ベルト１０と対面する側の端部には、モータ内蔵プーリ４の円弧状に対応して切欠傾斜面８３が形成されている。このように構成することにより、図１９及び図２０に示すように、玉磨き揚送装置１の排出口７ａから導入樋６上へパチンコ玉が落下してきた場合、パチンコ玉は、導入樋蓋８０の上面に形成された第一傾斜面８１及び第二傾斜面８２上を中央部８０ａに寄せられながら導入樋６の上流側へ流下されて玉通路６ｂ内に戻されるので、導入樋蓋８０上にパチンコ玉が滞留することがないと共に、流下されたパチンコ玉が散乱することを防止することができる。また、この第五実施形態においては、貯留箱を設けなくても良い。
【００３６】
以上、実施形態に係る玉磨き揚送装置１の構成及び作用について説明してきたが、本実施形態によれば、図１，図６及び図７に示すように、玉磨き揚送装置１の下端部に傾斜状に装着されて多量のパチンコ玉を複数列に整列しながら導入する玉磨き揚送装置１の導入樋６において、該導入樋６には、その上面を被覆する導入樋蓋３０を設け、該導入樋蓋３０の下流側上面には、前記玉磨き揚送装置１の揚送筒３（図１参照）を周回する搬送ベルト１０との隙間にパチンコ玉が進入しない間隔をもって、前記導入樋蓋３０上へ落下してきたパチンコ玉を側方へ誘導する誘導突起３６が形成されていることにより、パチンコ玉が導入樋蓋３０上へ落下してきた場合にも、誘導突起３６が導入樋蓋３０と搬送ベルト１０との隙間へのパチンコ玉の進入を防止すると共に、隙間付近のパチンコ玉も傾斜状に設けられた誘導突起３６上を誘導されて側方へ流下されるので、導入樋蓋３０と搬送ベルト１０との隙間にパチンコ玉が入り込んで滞留することがない。
【００３７】
また、図４，図６及び図７に示すように、前記誘導突起３６は、その断面がほぼ三角形状となるように突設し、その頂点を結ぶ稜線３９と前記搬送ベルト１０との隙間をパチンコ玉が進入しない間隔にすると共に、前記搬送ベルト１０に対面しない側の三角形の傾斜面３７は、導入樋蓋３０の中心部から両側端部へ向かって下り傾斜して形成されていることにより、誘導突起３６が導入樋蓋３０と搬送ベルト１０との隙間へのパチンコ玉の進入を防止すると共に、導入樋蓋３０上のパチンコ玉を搬送ベルト１０側へ流下させた後、誘導突起３６の傾斜面３７により側方へ誘導流下させるので、導入樋蓋３０上にパチンコ玉が滞留することがない。
【００３８】
また、図６及び図７に示すように、前記稜線３９は、その中心部から両側端部へ向かうに従って前記搬送ベルト１０側へ近づくように形成されていることにより、パチンコ玉が誘導突起３６上をその中央部から側端部へ向かって誘導流下される際、当初は稜線３９よりも搬送ベルト１０側に位置していたパチンコ玉の中心が、流下するに従って次第に稜線３９に接近し、最終的には搬送ベルト１０とは反対側に転動した状態となって側方へ流下されるので、誘導突起３６と搬送ベルト１０との隙間にパチンコ玉が滞留することがない。
【００３９】
また、図９乃至図１１に示すように、前記稜線３９は、その一端部から他端部へ向かうに従って高さが異なるように傾斜状に形成されていることにより、誘導突起３６Ａの稜線３９上のパチンコ玉を一側方のみに流下させることができる。
【００４０】
また、図１２乃至図２０に示すように、玉磨き揚送装置１の下端部に傾斜状に装着されて多量のパチンコ玉を複数列に整列しながら導入する玉磨き揚送装置１の導入樋６において、該導入樋６には、その上面を被覆する導入樋蓋６０，７０，８０を設け、該導入樋蓋６０，７０，８０の上面には、前記玉磨き揚送装置１の揚送筒３を周回する搬送ベルト１０との隙間にパチンコ玉が進入しない間隔をもって、前記導入樋６上へ落下してきたパチンコ玉を側方又は上流側へ誘導する傾斜面６１，７１，８１，８２が形成されていることにより、玉磨き揚送装置１の排出口７ａから導入樋６上へパチンコ玉が落下してきた場合、パチンコ玉は、導入樋蓋６０，７０，８０の上面に形成された傾斜面６１，７１，８１，８２上を側方又は上流側へ向かって流下されるので、導入樋蓋６０，７０，８０上にパチンコ玉が滞留することがない。また、導入樋蓋６０，７０，８０は、前記搬送ベルト１０との隙間にパチンコ玉が進入しない間隔で取り付けられているので、その隙間にパチンコ玉が入り込んで滞留することがない。
【００４１】
また、図８に示すように、前記導入樋６の一側又は両側には、前記導入樋蓋３０，３０Ａ，６０，７０によって誘導流下されたパチンコ玉を貯留する貯留箱４０を設けたことにより、導入樋６の導入樋蓋３０，３０Ａ，６０，７０上を側方へ流下されたパチンコ玉を周辺に散乱させることなく、貯留箱４０内に確実に回収して貯留しておくことができる。
【００４２】
また、図８に示すように、前記貯留箱４０にはその貯留玉量を検出する玉量センサ４４を設け、該玉量センサ４４からの検出信号を外部に出力するようにしたことにより、貯留箱４０の貯留玉量が上限付近となった場合には、その旨を例えば管理コンピュータの画面等に表示して、遊技場の店員に貯留箱４０内のパチンコ玉を除去するよう促すことができる。
【００４３】
なお、上記した実施形態においては、導入樋６と導入樋蓋３０とを別体に構成したものを示したが、これらを一体的に構成したものでもよい。このように構成することにより、製造し易く且つ破損しにくい構造とすることができる。
【００４４】
【発明の効果】
玉磨き揚送装置の下端部に傾斜状に装着されて多量のパチンコ玉を複数列に整列しながら導入する玉磨き揚送装置の導入樋において、該導入樋には、その上面を被覆する導入樋蓋を設け、該導入樋蓋の下流側上面には、前記玉磨き揚送装置の揚送筒を周回する搬送ベルトとの隙間にパチンコ玉が進入しない間隔をもって、前記導入樋蓋上へ落下してきたパチンコ玉を側方へ誘導する誘導突起が形成されているので、導入樋蓋と搬送ベルトとの隙間にパチンコ玉が入り込んで滞留することがない。
【００４５】
また、前記誘導突起は、その断面がほぼ三角形状となるように突設し、その頂点を結ぶ稜線と前記搬送ベルトとの隙間をパチンコ玉が進入しない間隔にすると共に、前記搬送ベルトに対面しない側の三角形の傾斜面は、導入樋蓋の中心部から両側端部へ向かって下り傾斜して形成されていることにより、導入樋蓋上にパチンコ玉が滞留することがない。
【００４６】
また、前記稜線は、その中心部から両側端部へ向かうに従って前記搬送ベルト側へ近づくように形成されていることにより、誘導突起と搬送ベルトとの隙間にパチンコ玉が滞留することがない。
【００４７】
また、前記稜線は、その一端部から他端部へ向かうに従って高さが異なるように傾斜状に形成されていることにより、誘導突起の稜線上のパチンコ玉を一側方のみに流下させることができる。
【００４８】
また、玉磨き揚送装置の下端部に傾斜状に装着されて多量のパチンコ玉を複数列に整列しながら導入する玉磨き揚送装置の導入樋において、該導入樋には、その上面を被覆する導入樋蓋を設け、該導入樋蓋の上面には、前記玉磨き揚送装置の揚送筒を周回する搬送ベルトとの隙間にパチンコ玉が進入しない間隔をもって、前記導入樋上へ落下してきたパチンコ玉を側方又は上流側へ誘導する傾斜面が形成されていることにより、導入樋蓋上にパチンコ玉が滞留することがないと共に、前記搬送ベルトとの隙間にパチンコ玉が入り込んで滞留することがない。
【００４９】
また、前記導入樋の一側又は両側には、前記導入樋蓋によって誘導流下されたパチンコ玉を貯留する貯留箱を設けたことにより、パチンコ玉を貯留箱内に確実に回収して貯留しておくことができる。
【００５０】
また、前記貯留箱には、その貯留玉量を検出する玉量センサを設け、該玉量センサからの検出信号を外部に出力するようにしたことにより、貯留箱の貯留玉量が上限付近となった場合には、遊技場の店員に貯留箱内のパチンコ玉を除去するよう促すことができる。
【図面の簡単な説明】
【図１】玉磨き揚送装置を前方から見た斜視図である。
【図２】玉磨き揚送装置の下方部分を前方から見た拡大斜視図である。
【図３】導入樋蓋と導入樋とを分離した状態を示す斜視図である。
【図４】（Ａ）が導入樋蓋を下流側から見た正面図、（Ｂ）が導入樋蓋の平面図、（Ｃ）が導入樋蓋の左側面図である。
【図５】導入樋蓋が取り付けられた導入樋を玉磨き揚送装置に装着した状態を示す拡大斜視図である。
【図６】導入樋蓋の誘導突起によるパチンコ玉流下作用を示す平面図である。
【図７】導入樋蓋の誘導突起によるパチンコ玉流下作用を示す側面図である。
【図８】貯留箱が設けられた玉磨き揚送装置の下方部分の構造を示す拡大斜視図である。
【図９】第二実施形態に係る導入樋蓋が取り付けられた導入樋を玉磨き揚送装置に装着した状態を示す拡大斜視図である。
【図１０】第二実施形態に係る導入樋蓋の誘導突起によるパチンコ玉流下作用を示す平面図である。
【図１１】第二実施形態に係る導入樋蓋の誘導突起によるパチンコ玉流下作用を示す側面図である。
【図１２】第三実施形態に係る導入樋蓋が取り付けられた導入樋を玉磨き揚送装置に装着した状態を示す拡大斜視図である。
【図１３】第三実施形態に係る導入樋蓋の傾斜面によるパチンコ玉流下作用を示す平面図である。
【図１４】第三実施形態に係る導入樋蓋の傾斜面によるパチンコ玉流下作用を示す側面図である。
【図１５】第四実施形態に係る導入樋蓋が取り付けられた導入樋を玉磨き揚送装置に装着した状態を示す拡大斜視図である。
【図１６】第四実施形態に係る導入樋蓋の傾斜面によるパチンコ玉流下作用を示す平面図である。
【図１７】第四実施形態に係る導入樋蓋の傾斜面によるパチンコ玉流下作用を示す側面図である。
【図１８】第五実施形態に係る導入樋蓋が取り付けられた導入樋を玉磨き揚送装置に装着した状態を示す拡大斜視図である。
【図１９】第五実施形態に係る導入樋蓋の傾斜面によるパチンコ玉流下作用を示す平面図である。
【図２０】第五実施形態に係る導入樋蓋の傾斜面によるパチンコ玉流下作用を示す側面図である。
【図２１】従来の導入樋蓋の作用を示す平面図である。
【図２２】従来の導入樋蓋の作用を示す側面図である。
【符号の説明】
１  玉磨き揚送装置
２  支持台
３  揚送筒
４  モータ内蔵プーリ
５  流入円弧樋
６  導入樋
７  上部屈曲樋
８  ガイドレールカバー
１０  搬送ベルト
１５  支持ボルト
２１  取付板
２２  支持金具
３０  導入樋蓋
３１  係止片
３３  嵌合溝
３４  嵌合壁
３５  前壁
３６，３６Ａ  誘導突起
３７  第一傾斜面
３８  第二傾斜面
３９  稜線
４０  貯留箱
４４  玉量センサ
４５  接続コード
４６  円弧状面
６０  導入樋蓋
６１  傾斜面
６２  切欠傾斜面
７０  導入樋蓋
７１  傾斜面
７２  切欠傾斜面
８０  導入樋蓋
８１  第一傾斜面
８２  第二傾斜面
８３  切欠傾斜面
【図１】
0003937514.tif 000002
【図２】
0003937514.tif 000003
【図３】
0003937514.tif 000004
【図４】
0003937514.tif 000005
【図５】
0003937514.tif 000006
【図６】
0003937514.tif 000007
【図７】
0003937514.tif 000008
【図８】
0003937514.tif 000009
【図９】
0003937514.tif 000010
【図１０】
0003937514.tif 000011
【図１１】
0003937514.tif 000012
【図１２】
0003937514.tif 000013
【図１３】
0003937514.tif 000014
【図１４】
0003937514.tif 000015
【図１５】
0003937514.tif 000016
【図１６】
0003937514.tif 000017
【図１７】
0003937514.tif 000018
【図１８】
0003937514.tif 000019
【図１９】
0003937514.tif 000020
【図２０】
0003937514.tif 000021
【図２１】
0003937514.tif 000022
【図２２】
0003937514.tif 000023